(57)【要約】【課題】全体の生産効率が良い投入計画作成を支援する投入計画作成支援装置を提供する。【解決手段】投入計画作成支援装置は、生産数取得手段と、品種別工程取得手段と、共通サブ工程抽出手段と、品種グループセット作成手段と、サブ工程処理時間取得手段と、段取り替え時間取得手段と、品種グループセット生産時間算出手段と、品種グループ投入順設定手段とを有する。品種グループセット作成手段は、共通サブ工程を多く有する品種同士を組み合わせて品種グループを作成し、品種グループの組み合わせから成る品種グループセットを作成する。そして、取得した各品種の生産数と、サブ工程処理時間と、段取り替え時間とに基づいて、各品種グループセットを生産するのに必要な品種グループセット生産時間を算出する。次いで、算出した品種グループ生産時間に基づいて、品種グループの投入順序を設定する。【選択図】      図１
2020077081.tif 000002
【特許請求の範囲】
【請求項１】
少なくとも1つの設備を用いて複数の品種を生産する生産ラインにおける、
それぞれの前記品種の生産数を取得する生産数取得手段と、
それぞれの前記品種に設定されている少なくとも1つのサブ工程と、前記サブ工程を実施するのに必要な段取り、とを含む品種別工程情報を取得する品種別工程情報取得手段と、
異なる前記品種別工程情報の間で共通する前記サブ工程である共通サブ工程を抽出する共通サブ工程抽出手段と、
前記段取りが共通し、前記共通サブ工程が多い前記品種を組み合わせて品種グループを作成し、前記品種グループを組み合わせた品種グループセットを作成する品種グループセット作成手段と、
それぞれの前記サブ工程のサブ工程処理速度を取得するサブ工程処理速度取得手段と、
前記設備で、ある前記サブ工程を別の前記サブ工程に切り替えるための段取り替えに要する段取り替え時間を取得する段取り替え時間取得手段と、
前記生産数と前記サブ工程処理速度とに基づいて、前記品種グループを生産するのに必要な品種グループ生産時間を算出し、前記品種グループ生産時間と前記段取り替え時間とから、各前記品種グループセットの生産に必要な品種グループセット生産時間を算出する品種グループセット生産時間算出手段と、
前記品種グループ生産時間に基づいて、前記品種グループの投入順序を設定する品種グループ投入順序設定手段と
を有することを特徴とする投入計画作成支援装置。
【請求項２】
前記品種グループセット作成手段が、
前記品種グループまたは前記サブ工程処理速度または前記段取り替え時間の少なくとも１つが異なる複数の前記品種グループセットを作成し、
前記品種グループセット生産時間算出手段が、
それぞれの前記品種グループセット生産時間を算出し、
算出した前記品種グループセット生産時間に基づいて、推奨する前記品種グループセットを設定する品種グループセット推奨手段を有する、
ことを特徴とする請求項１に記載の投入計画作成支援装置。
【請求項３】
前記品種グループセット推奨手段が、
前記品種グループセット生産時間が短い前記品種グループセットを優先して推奨する
ことを特徴とする請求項２に記載の投入計画作成支援装置。
【請求項４】
前記品種グループ投入順序設定手段が、
前記品種グループ生産時間が長い前記品種グループを優先して投入するように前記投入順序を設定する
ことを特徴とする請求項１乃至３のいずれか一項に記載の投入計画作成支援装置。
【請求項５】
前記生産ラインが複数のサブラインを含む場合に、
前記品種グループセット作成手段が、
前記品種グループを投入する前記サブラインを区別して前記品種グループセットを作成する
ことを特徴とする請求項１乃至４のいずれか一項に記載の投入計画作成支援装置。
【請求項６】
前記サブラインの処理能力に差がある場合に、
前記品種グループ投入順序設定手段が、
処理能力の高い前記サブラインに、前記品種グループ生産時間の長い前記品種グループを優先して投入するように前記投入順序を設定する
ことを特徴とする請求項５に記載の投入計画作成支援装置。
【請求項７】
前記段取り替え時間取得手段が
前記段取り替えを行うリソースを変化させた場合の段取り替え時間を取得し、
前記品種グループセット作成手段が、
前記段取り替え時間が異なる場合には別の品種グループセットを作成する
ことを特徴とする請求項１乃至６のいずれか一項に記載の投入計画作成支援装置。
【請求項８】
少なくとも1つの設備を用いて複数の品種を生産する生産ラインで、
それぞれの前記品種の生産数を取得し、
それぞれの前記品種に設定されている少なくとも1つのサブ工程と、前記サブ工程を実施するのに必要な段取りとを含む品種別工程情報を取得し、
異なる前記品種別工程情報の間で共通する前記サブ工程である共通サブ工程を抽出し、
前記段取りが共通し、前記共通サブ工程が多い前記品種を組み合わせて品種グループを作成し、
前記品種グループを組み合わせた品種グループセットを作成し、
それぞれの前記サブ工程のサブ工程処理速度を取得し、
前記設備で、ある前記サブ工程を別の前記サブ工程に切り替えるための段取り替えに要する段取り替え時間を取得し、
前記生産数と前記サブ工程処理速度とに基づいて、前記品種グループを生産するのに必要な品種グループ生産時間を算出し、
前記品種グループ生産時間と前記段取り替え時間とから、各前記品種グループセットの生産に必要な品種グループセット生産時間を算出し、
前記品種グループ生産時間に基づいて、前記品種グループの投入順序を設定する
ことを特徴とする投入計画作成支援方法。
【請求項９】
前記品種グループまたは前記サブ工程処理速度または前記段取り替え時間の少なくとも１つが異なる複数の前記品種グループセットを作成し、
それぞれの前記品種グループセット生産時間を算出し、
算出した前記品種グループセット生産時間に基づいて、推奨する前記品種グループセットを設定する
ことを特徴とする請求項８に記載の投入計画作成支援方法。
【請求項１０】
少なくとも1つの設備を用いて複数の品種を生産する生産ラインで、
それぞれの前記品種の生産数を取得するステップと、
それぞれの前記品種に設定されている少なくとも1つのサブ工程と、前記サブ工程を実施するのに必要な段取りとを含む品種別工程情報を取得するステップと、
異なる前記品種別工程情報の間で共通する前記サブ工程である共通サブ工程を抽出するステップと、
前記段取りが共通し、前記共通サブ工程が多い前記品種を組み合わせて品種グループを作成するステップと、
前記品種グループを組み合わせた品種グループセットを作成するステップと、
それぞれの前記サブ工程のサブ工程処理速度を取得するステップと、
前記設備で、ある前記サブ工程を別の前記サブ工程に切り替えるための段取り替えに要する段取り替え時間を取得するステップと、
前記生産数と前記サブ工程処理速度とに基づいて、前記品種グループを生産するのに必要な品種グループ生産時間を算出するステップと、
前記品種グループ生産時間と前記段取り替え時間とから、各前記品種グループセットの生産に必要な品種グループセット生産時間を算出するステップと、
前記品種グループ生産時間に基づいて、前記品種グループの投入順序を設定するステップと
を有することを特徴とする投入計画作成支援プログラム。
【発明の詳細な説明】
【技術分野】
【０００１】
本発明は、投入計画作成支援装置および投入計画作成支援方法に関する。
【背景技術】
【０００２】
工業製品は、原材料や部品を生産ラインに投入し、複数の工程を順次通過することによって生産されることが一般的である。そして、生産ラインは、複数のサブラインから構成され、各サブラインで複数の処理を実施することも一般的である。近年、ニーズの多様化に伴い１つの生産ラインで多品種を生産することが多くなっている。このような多品種生産では、全体の生産効率が高くなるように、品種の投入順およびタイミングを設定することが重要である。
【０００３】
上記の効率を高めるための技術が、例えば特許文献１に開示されている。この技術では、まず後工程のワーク払出時刻を基準に、後工程のタクトタイムを逆算して、前工程のワーク払出時刻を算出する。更に前工程内のタクトタイムを逆算して前工程へのワーク投入時刻を算出し、前工程へのワーク投入順序及びワーク投入時刻を指示するようにしている。これにより、あるサブラインの後工程払い出し時刻と、別の後工程の払い出し時刻を合わせることができるので、合流点での待ち時間発生を防ぐことができる。
【０００４】
また特許文献２には、プリント基板に部品を実装する生産ラインで、多品種の生産を行う場合に、作業効率を高めるための発明が開示されている。この発明では、複数品種の製品を1つの実装機に投入するが、この時、共通に使用する品種が最も多い部品を、実装機が最も早く実装できる位置に配置する。そして、次に共通する品種が多い部品を次に早く実装できる位置に配置し、順次これを繰り返して部品の供給位置を決めていく。このようにすることによって、同じ数の製品を短い時間で生産することができる。
【先行技術文献】
【特許文献】
【０００５】
【特許文献１】特開平０９−１４１５４２号公報
【特許文献２】特開平１１−０５４９９１号公報
【発明の概要】
【発明が解決しようとする課題】
【０００６】
しかしながら、特許文献１の技術では、処理時間の短い工程が数多く連続する生産には適用できないという問題がある。このような生産では、前工程に投入されたものが払い出される前に、同種の半製品が払い出されるため、１つの製品に注目した場合、前工程完了と後工程開始のタイミングが一致しないためである。
【０００７】
また、特許文献２の技術では、1台の実装機における部品実装の処理時間を短縮することができるが、必ずしも全体の生産効率向上につながらないという問題がある。複数の設備を用いる場合、各設備に投入する品種の順番によって、生産効率が大きく変わってしまう場合があるからである。
【０００８】
本発明は、上記の問題点に鑑みてなされたものであり、全体の生産効率が良い投入計画の作成を支援する投入計画作成支援装置を提供することを目的としている。
【課題を解決するための手段】
【０００９】
上記の課題を解決するため、投入計画作成支援装置は、生産数取得手段と、品種別工程取得手段と、共通サブ工程抽出手段と、品種グループセット作成手段と、サブ工程処理時間取得手段と、段取り替え時間取得手段と、品種グループセット生産時間算出手段と、品種グループ投入順設定手段とを有する。品種グループセット作成手段は、共通サブ工程を多く有する品種同士を組み合わせて品種グループを作成し、品種グループの組み合わせから成る品種グループセットを作成する。そして、取得した各品種の生産数と、サブ工程処理時間と、段取り替え時間とに基づいて、各品種グループセットを生産するのに必要な品種グループセット生産時間を算出する。次いで、算出した品種グループ生産時間に基づいて、品種グループの投入順序を設定する。
【発明の効果】
【００１０】
本発明の効果は、全体の生産効率が良い投入計画作成を支援する投入計画作成支援装置を提供できることである。
【図面の簡単な説明】
【００１１】
【図１】第１の実施形態の投入計画作成支援装置を示すブロック図である。
【図２】第２の実施形態の投入計画作成支援装置を示すブロック図である。
【図３】第２の実施形態の動作を示すフローチャートである。
【図４】第２の実施形態の動作の詳細を示すフローチャートである。
【図５】第２の実施形態の投入順序のイメージを示す模式図である。
【図６】第３の実施形態の投入計画作成支援装置を示すブロック図である。
【図７】第３の実施形態の投入順序のイメージを示す模式図である。
【図８】第４の実施形態の投入計画作成支援装置を示すブロック図である。
【図９】第２の実施形態の投入順序のイメージを示す模式図である。
【発明を実施するための形態】
【００１２】
以下、図面を参照しながら、本発明の実施形態を詳細に説明する。但し、以下に述べる実施形態には、本発明を実施するために技術的に好ましい限定がされているが、発明の範囲を以下に限定するものではない。なお各図面の同様の構成要素には同じ番号を付し、説明を省略する場合がある。
【００１３】
（第１の実施形態）
図１は、本実施形態の投入計画作成支援装置を示すブロック図である。本実施形態の投入計画作成支援装置は、複数品種の生産を行う生産ラインで、それぞれの品種を投入する順番を定める投入計画の作成を支援する装置である。投入計画作成支援装置は、生産数取得手段１と、品種別工程情報取得手段２と、共通サブ工程抽出手段３と、品種グループセット作成手段４とを有する。また、サブ工程処理速度取得手段５と、段取り替え時間取得手段６と、品種グループセット生産時間算出手段７と、品種グループ投入順序設定手段８とを有する。
【００１４】
生産数取得手段１は、生産計画に基づいて、生産ラインで所定期間に目標とする生産数を取得する。
【００１５】
品種別工程情報取得手段２は、それぞれの品種に設定されている工程を取得する。この品種別工程は少なくとも１つのサブ工程を含む。すなわち、工程は、一連のサブ工程によって構成されているものとする。また、品種別工程情報は、サブ工程を実施するために必要な段取りの情報も含む。
【００１６】
共通サブ工程抽出手段３は、異なる品種間で共通しているサブ工程を抽出する。これは、品種が異なっても、当該品種の工程の中に同じサブ工程を含んでいる時に、これを共通サブ工程として抽出し、共通サブ工程を持つ品種同士を関連付けるものである。
【００１７】
品種グループセット作成手段４は、段取りが共通し、共通サブ工程を多く有する品種同士を組み合わせて品種グループを作成する。この品種グループは、同じ品種グループに属する品種をまとめて生産ラインに投入するために用いる。そして複数の品種グループの塊としての品種グループセットを作成する。
【００１８】
サブ工程処理速度取得手段５は、それぞれのサブ工程の処理速度を取得する。サブ工程処理速度は、例えば、過去の実績から定めた標準的な値とすることができる。
【００１９】
段取り替え時間取得手段６は、生産ラインで生産する品種グループを切り替えるために必要な段取り替え時間を取得する。ここで、段取り替えとは、同じ設備で異なるサブ工程を実施するために、供給する材料や部品を交換したり、設備を調整したりする作業のことである。段取り替え時間は、例えば、過去の実績から定めた標準的な値とすることができる。
【００２０】
品種グループセット生産時間算出手段７は、設定した品種グループセットと、取得した各品種の生産数と、サブ工程処理速度と、段取り替え時間とに基づいて、品種グループセットを生産するのに必要な品種グループセット生産時間を算出する。この計算は、サブ工程処理速度と生産数とを用いて、各品種グループの生産時間を計算し、品種グループの切り替えに必要な段取り替え時間を取得し、これらの総和を取ることで行うことができる。
【００２１】
品種グループ投入順序設定手段８は、算出した品種グループ生産時間に基づいて、品種グループセット内における品種グループの投入順序を設定する。一つの方法としては、生産時間が長い順に、品種グループを投入していくことができる。
【００２２】
以上説明したように、本実施形態によれば、サブ工程が共通する品種グループセットを作ることで段取り替え回数を少なくし、生産時間に基づいて投入順序を決定することで、生産効率の良い投入計画を作成することができる。
【００２３】
（第２の実施形態）
図２は、第２の実施形態の投入計画作成支援装置１００を示すブロック図である。投入計画作成支援装置１００は、計画生産数取得部１１０と、品種別工程情報取得部１２０と、共通サブ工程抽出部１３０と、品種グループセット作成部１４０とを有する。また、サブ工程処理速度取得部１５０と、段取り替え時間取得部１６０と、品種グループセット生産時間算出部１７０と、推奨品種グループセット設定部１８０と、品種グループ投入順序設定部１９０とを有する。投入計画作成支援装置１００のハードウェアとしては、例えば、プロセッサやメモリを備えた一般的なコンピュータを用いることができる。
【００２４】
投入計画作成支援装置１００は、記憶装置２００から、投入計画作成に必要な情報を取得する。記憶装置２００は、計画生産数２１０と、品種別工程情報２２０と、サブ工程処理速度情報２３０と、段取り替え時間情報２４０とを記憶する。なお記憶装置２００のハードウェアとしては、例えば、ハードディスク、半導体メモリなどの一般的な記憶装置を用いることができる。
【００２５】
計画生産数情報２１０は、所定の期間に生産する製品数を品種ごとに保持する。所定の期間とは、例えば１日や、1週間などである。
【００２６】
品種別工程情報２２０には、各品種の工程を構成するサブ工程を表すサブ工程情報２２１と、各サブ工程を実施するのに必要な段取りを表す段取り情報２２２が含まれている。ここで、サブ工程とは、例えばある材料を混合する、ある加工を実施する、ある部品を実装するといった、処理の要素を表すものとする。また、段取りは、設備や作業点における準備で、材料や部品の供給、治工具の準備、設備の調整などといったサブ工程を実施するのに必要な作業であるとする。１つの設備や作業点では、複数のサブ工程を実施することが多く、１つの段取りで複数のサブ工程を実施できるのが一般的である。すなわち、１つの段取りで実施可能なサブ工程の塊があり、サブ工程を切り替える時に、段取り替えが必要な場合と、段取り替えが必要ない場合とが存在する。後述するが、１つの品種グループのサブ工程処理を行う中では段取り替えが発生しないように、品種グループを作成する。
【００２７】
サブ工程処理速度情報２３０は、各サブ工程の処理の速度を表す情報であり、単位時間に実行可能なサブ工程の処理数として表すことができる。サブ工程処理速度は、例えば、設備のスペックや、過去の実績を平均した値などから定める標準的な値とすることができる。
【００２８】
段取り替え時間情報２４０は、設備などの段取りを変えるのに必要な時間を表す。前記の通り、サブ工程を切り替える時に、段取り替えが必要な場合と不要な場合とがある。
【００２９】
次に、投入計画作成支援装置１００の各部の構成と機能について説明する。計画生産数取得部１１０は、記憶装置２００から計画生産数情報２１０を取得する。
【００３０】
品種別工程情報取得部１２０は、記憶装置２００から品種別工程情報２２０を取得する。この時、品種別工程情報２２０に含まれる、品種別工程を構成するサブ工程を表すサブ工程情報２２１と、必要な段取りを表す段取り情報２２２も取得する。
【００３１】
共通段取り抽出部１３０は、生産が計画されている品種について、各品種の段取り情報２２２を比較し、品種間で共通する段取りを抽出し、段取りが共通する仮グループを作成する。次に、共通サブ工程抽出部１３１が、仮グループの中で、品種間で共通するサブ工程を抽出する。品種グループセット作成部１４０は、仮グループの中で、共通するサブ工程が多い者同士を組み合わせて品種グループセットを作成する。この時、グループ分けに用いる共通サブ工程数によって、様々なグループ分けが可能であるが、共通サブ工程数に閾値を設けておけば、グループ分けの仕方を確定することができる。また閾値を複数設けて、複数の品種グループセットを作成しても良い。このように、複数の品種グループセットを作成し、優劣を比較することで、生産効率の高い品種グループセットを設定することができる。
【００３２】
サブ工程処理速度取得部１５０は、作成した品種グループで用いられるサブ工程のサブ工程処理速度を取得する。
【００３３】
段取り替え時間取得部１６０は、段取り替え時間情報２４０から品種グループを切り替える時に必要な段取り時間を取得する。
【００３４】
品種グループセット生産時間算出部１７０は、各品種グループセットの生産時間を算出する。品種グループセットの生産時間は次のようにして算出することができる。まず、品種グループの中の１品種について、工程を構成するサブ工程とサブ工程処理速度に基づいて、当該品種１個の生産時間を算出する。これに当該品種の生産数を乗じると、当該品種の生産時間を求めることができる。同様にして他の品種の生産時間を算出し、品種グループの中で、各品種の生産時間を足し合わせる。この結果に、品種グループを切り替える時に発生する段取り時間を足して、品種グループセット生産時間を計算することができる。
【００３５】
推奨品種グループセット設定部１８０は、上記のようにして計算した、複数の品種グループセット生産時間を比較して、推奨品種グループセットを設定する。推奨品種グループセットには、例えば、全体生産時間が一番短くなる品種グループを推奨することができる。しかしながら、実際の生産ラインでは、部品の供給や段取り替え等に制約が伴う場合もある。このため、生産時間の短いものから順に、複数の推奨品種グループセットを設定し、オペレータが優劣を判断できるようにしても良い。
【００３６】
品種グループ投入順序設定部１９０は、上記で決定した推奨する品種グループセット内で、品種グループを投入する順番を設定する。その順序は、例えば、品種グループ生産時間の長い順とすることができる。図示はしていないが、推奨品種グループセットや、設定した投入順序は、投入計画作成支援装置の表示部に表示する、プリンタに印刷するなどして、外部に出力することができる。
【００３７】
次に投入計画作成支援装置１００の動作について説明する。図３は、投入計画作成支援装置１００の動作を示すフローチャートである。まず、計画生産数を取得する（Ｓ１）。次に段取りが共通する品種で仮グループを作成する（Ｓ２）。次に、仮グループの中で、サブ工程が共通する品種を組み合わせて品種グループを作成する（Ｓ３）。この時、共通するサブ工程の数に応じて、異なる品種グループを作成しても良い。次に、作成した品種グループの組み合わせとして品種グループセットを作成する。この時、品種グループの分け方が異なるものは、違う品種グループセットとして扱う。このように、品種グループの組合せとしての品種グループセットの造り方は１つではないため、可能な品種グループセットを網羅的に作成する（Ｓ４）。次に、各品種グループセットの生産時間を計算する（Ｓ５）。この計算の詳細は後述する。次に求めた各品種グループの生産時間と、各品種グループの生産を行う時に必要になる段取り替え時間とを足し合わせて、候補となる各品種グループセットの生産時間を計算する（Ｓ５）。次に算出した全体の生産時間を比較して、推奨する品種グループセットを決定する（Ｓ６）。原則として、生産時間の短い品種グループセットを推奨するが、推奨する品種グループセットは複数であっても良い。次に、品種グループセット内の、品種グループの生産時間を比較して、品種グループの投入順序を設定する（Ｓ７）。例えば、生産時間が長い品種グループを先に投入するように、投入順序を設定することができる。そして、推奨品種グループセットと、品種グループセット内の品種グループ投入順序と、必要な段取り替えと、見積もられた生産時間などを外部に出力する（Ｓ８）。この時、一番生産効率の良い品種グループセットだけでなく、二番目、三番目の品種グループセットの情報を表示しても良い。
【００３８】
図４は、図３のフローチャートのＳ４の処理の詳細を示すフローチャートである。各品種グループの生産時間の計算では、品種グループ内の各品種の生産時間の計算を行うループ処理Ｌ１を実行する。Ｌ１では、まず、当該品種を生産するのに必要なサブ工程を取得する（Ｓ４１）。次にこのサブ工程の処理速度を取得する（Ｓ４２）。サブ工程とサブ工程処理速度を用いて、当該品種１個の生産時間を算出する（Ｓ４３）。これに生産数を乗じて当該品種としての生産時間を算出する（Ｓ４４）。Ｓ４１−Ｓ４４の処理を品種グループセット内の全ての品種について完了するまで行う。次に、品種グループセットを構成する品種グループの生産時間の和を取り、必要な段取り替え時間との総和を取って、品種グループセットの生産時間を算出する（Ｓ４５）。上記の品種グループの生産時間の計算を、設定した全ての品種グループセットについて完了するまで行う（Ｌ２）。
【００３９】
以上のようにして、生産効率の良い品種グループセットの設定とセット内での品種グループの投入順序の設定を行うことができる。図５は、上記の投入順序を設定した場合の、投入のイメージを表す模式図である。図中のτは品種グループの生産時間を表しており、その長さが生産時間に比例するものとしている。図５に示すように、生産ラインに対して、一番長い生産時間τ１を有する品種Ｇｒ（グループ）１から投入を開始して、品種Ｇｒ２（生産時間τ２）、品種Ｇｒ３（生産時間τ３）の順で投入するようにしている。
【００４０】
（第３の実施形態）
第２の実施形態では生産ラインが１つである場合について説明したが、実際の生産ラインでは、同じ品種の生産を実施可能な複数のサブラインを備えていることが一般的である。本実施形態では、複数のサブラインがある場合に適した投入計画作成支援装置について説明する。
【００４１】
図６は第３の実施形態の投入計画作成支援装置１０１を示すブロック図である。投入計画作成支援装置１０１は、第２の実施形態の投入計画作成支援装置１００の構成に加えて、サブライン情報取得部１４１を有している。また品種グループセット作成部１４２は、サブライン情報２３２を反映して、品種グループセットを作成するように動作する。また、サブライン間では同じサブ工程の処理でも処理速度が異なる場合があるため、記憶装置２０１は、サブライン情報２３１と、サブライン毎に区別されたサブ工程処理速度情報２３２とを保持する。各品種グループセットの生産時間は、第２の実施形態と同様にして行うことができるが、投入するサブラインによって生産時間および必要な段取り替えが異なる場合がある。このため、違うサブラインに投入する場合は、組み合わせた品種が同じでも異なる品種グループセットとして扱うようにする。このような扱いにすると、サブラインの存在を意識することなく、それぞれの品種グループセット生産時間を計算し、優劣を比較することができる。
【００４２】
図７は、本実施形態の投入計画作成支援装置１０１で、品種グループの投入順序を定めた時の投入のイメージを示す模式図である。本実施形態では、投入するサブラインの指定も含めた投入順序が設定される。図７では、最も長い生産時間τ１を有する長い品種Ｇｒ１を最も処理能力Ｐの高いサブライン１（処理能力Ｐ１）に最初に投入するようにしている。そして、次に長い生産時間τ２を持つ品種Ｇｒ２を次に処理能力の高いサブライン２（処理能力Ｐ２）に最初に投入するようにしている。以下、品種Ｇｒ３をサブライン３、品種Ｇｒ４をサブライン１に順次投入している。
【００４３】
なお品種グループセットの生産時間を考える場合、サブラインにおける処理能力以外に、段取り替え時間も考慮する必要がある。段取り替えの回数と、１回あたりの段取り替え時間は、品種グループと投入するサブラインに依存して変化する。この必要な段取り替えと段取り替え時間とは、本実施形態では、サブライン情報２３１と品種グループセットの設定に反映されているものとする。
【００４４】
以上のようにすると、生産時間の長い品種グループほど処理能力が高いサブラインに、先に投入されるため、生産効率を高めることができる。
【００４５】
（第４の実施形態）
第２、３の実施形態では、段取り替え時間はサブライン及び切り替える品種グループを決めれば一意に決まるものと仮定して説明したが、段取り替え時間は使用可能なリソースによっても変化する。本実施形態の投入計画作成支援装置では、使用可能なリソースが異なるケースも区別した品種グループセットを作成し、生産効率向上の可能性を検討する。
【００４６】
図８は、本実施形態の投入計画作成支援装置１０２を示すブロック図である。投入計画作成支援装置１０２は、第３の実施形態の投入計画作成支援装置１０１の構成に加えて、記憶装置２０２に保持されたリソース別段取り替え時間情報２４１を取得する段取り替え時間時間取得部１６１を備えている。リソース別段取り替え時間情報とは、使えるリソースの量で区別された段取り替え時間の情報である。投入計画作成支援装置１０２の、品種グループセット作成部１４３は、品種及び投入サブラインの組み合わせが同じであっても、リソースが異なる場合は、別の品種グループセットとして扱うように、品種グループセットを作成する。このように区別することで、第２、３の実施形態と同様に、品種グループセット毎に全体の生産時間を計算して、生産効率の良い品種グループセットを選定することができる。
【００４７】
図９は、使用可能なリソースと段取り替え時間Ｔの関係を示す模式図である。図９（ａ）の場合、人的リソースである作業者Ｍが１人で、ハード的リソースＨが１つである。この時段取り替え１の所要時間はＴ１ａである。ところが、図９（ｂ）のように作業者Ｍを２人にすると段取り替え１の所要時間はＴ１ｂに短縮される。さらに図９（ｃ）のようにハード的リソースが２つになることにより、段取り替え１の所要時間はＴ１ｃに短縮される。品種グループセット作成部１４３は、このようにリソースのみが異なる場合も違う品種グループセットとなるように、品種グループセットを作成する。このため、以降の計算は、第２、３の実施形態と同様に行うことができる。そして生産効率が良くなる、品種グループセットの作成、サブラインへの投入順序の設定、リソースの配分を行うことができる。なお、使用可能なリソースに制限があることが一般的であるため、品種グループセットや投入順序の結果の出力は、使用可能なリソースごとに、複数の候補を表示することが望ましい。
【００４８】
以上説明したように、本実施形態によれば、リソースの効果的な配分を含めて生産効率の向上を図ることができる。
【００４９】
上述した第１乃至第４の実施形態の処理を、コンピュータに実行させるプログラムおよび該プログラムを格納した記録媒体も本発明の範囲に含む。記録媒体としては、例えば、磁気ディスク、磁気テープ、光ディスク、光磁気ディスク、半導体メモリ、などを用いることができる。
【００５０】
以上、上述した実施形態を模範的な例として本発明を説明した。しかしながら、本発明は、上記実施形態には限定されない。即ち、本発明は、本発明のスコープ内において、当業者が理解し得る様々な態様を適用することができる。
【符号の説明】
【００５１】
１    生産数取得手段
２    品種別工程情報取得手段
３    共通サブ工程抽出手段
４    品種グループセット作成手段
５    サブ工程処理速度取得手段
６    段取り替え時間取得手段
７    品種グループセット生産時間算出手段
８    品種グループ投入順序設定手段
１００    投入計画作成支援装置
１１０    計画生産数取得部
１２０    品種別工程情報取得部
１３０    共通段取り抽出部
１３１    共通サブ工程抽出部
１４０    品種グループセット作成部
１５０    サブ工程処理速度取得部
１６０    段取り替え時間取得部
１７０    品種グループセット生産時間算出部
１８０    推奨品種グループセット設定部
１９０    品種グループ投入順序設定部
２００    記憶装置
２１０    計画生産数情報
２２０    品種別工程情報
２３０    サブ工程処理速度情報
２４０    段取り替え時間情報
【図１】
2020077081.tif 000003
【図２】
2020077081.tif 000004
【図３】
2020077081.tif 000005
【図４】
2020077081.tif 000006
【図５】
2020077081.tif 000007
【図６】
2020077081.tif 000008
【図７】
2020077081.tif 000009
【図８】
2020077081.tif 000010
【図９】
2020077081.tif 000011